(57)【要約】【課題】  光ファイバのフェルール接続部がコンセントボックスの中心軸に近い位置に来るように設定でき、光ファイバの先端処理に際し、壁面より引き出した光ファイバケーブルを、壁埋め込みコンセントボックスの内部に最小許容曲げ半径を確保しつつ収容できるようにする。【解決手段】  光ファイバＰ先端に取り付けたフェルール５を嵌合するコンセント本体２と、コンセント本体２に対し一方の側面からスライド装着し、光ファイバＰをその方向を変えながら係合する曲線状のガイド溝部８を円筒状表面部９に形成して成る第１のホルダ部３と、コンセント本体２に対し他方の側面からスライド装着し、第１のホルダ部３の円筒状表面部９に当接する内壁曲面部１０を有する第２のホルダ部４とを備える。【選択図】          図５
2006011196.tif 000002
【特許請求の範囲】
【請求項１】
光ファイバ先端に取り付けられたフェルールを嵌合させるコンセント本体と、コンセント本体に対し一方の側面からスライド装着され、光ファイバをその方向を変えながら係合させる曲線状のガイド溝部を円筒状表面に形成して成る第１のホルダ部と、コンセント本体の挿入溝に対し他方の側面からスライド装着され、第１のホルダ部の円筒状表面に当接させる内壁曲面部を有する第２のホルダ部とを備えたことを特徴とする光ファイバコンセント装置。
【請求項２】
ガイド溝部は、心線を保護し且つ光ファイバの最小許容曲げ半径を確保しながらコネクタ接続軸に対して垂直平面方向に光ファイバケーブルの向きが変えられるように形成した請求項１記載の光ファイバコンセント装置。
【請求項３】
ガイド溝部は、円筒体を中心軸に沿って四等分に分割して横向きに配置され、曲率半径が光ファイバの最小許容曲げ半径以上の大きさを有した円筒状表面部において、コンセント本体の左右一対のフェルール接続部位置に対応して左右対称となる位置に、それぞれ一対の略蛇行状に曲がった形状となって形成されている請求項１または２記載の光ファイバコンセント装置。
【請求項４】
左右一対のガイド溝部は、互いに途中から略Ｙ字状に分岐しており、このうち内側に向けて分岐された二つのガイド溝部は、互いに交差した後、それぞれは外側に向けて分岐された他方のガイド溝部に合流してなる請求項１乃至３のいずれか記載の光ファイバコンセント装置。
【発明の詳細な説明】
【技術分野】
【０００１】
本発明は、光通信による広帯域サービスを提供するための埋込型光ファイバコンセント装置に関する。
【背景技術】
【０００２】
従来において光ファイバケーブルは、最小許容曲げ半径が約３０ｍｍ程度あり、壁埋め込みコンセント幅が約４４ｍｍ以内に収めることは全く不可能であった。しかし、最近ではその半分以下の最小許容曲げを有する光ファイバケーブルが開発されてきている。
【０００３】
また、特許文献１に開示されているように、プラグ差込口を有するボデイ内部に光ファイバケーブルを保持するケーブルガイドが、レセプタクルを装着する装着部と所定の距離を確保して設けられ、該ケーブルガイドは光ファイバケーブルの推奨最小半径と一致する半径で円弧状に形成され、またケーブルガイドの幅は壁内部に引き回される光ファイバケーブルの断面の長半径と同じ長さであって、しかもケーブルガイドにはレセプタクル収納部側の端部に光ファイバケーブルの長手方向のずれを防止する突起を設けてある技術が提供されている。
【０００４】
また、特許文献２に開示されているように、第１の光ファイバケーブルおよび第２の光ファイバケーブルの余長部分を箱枠状の保護部材内部に許容最小曲率を超える曲率で収容した技術が提供されている。
【特許文献１】特開２００３−９８３８３号公報（図３参照）
【特許文献２】特開平９−１２７３６９号公報
【発明の開示】
【発明が解決しようとする課題】
【０００５】
しかしながら、従来においては、電気配線のコンセントに用いられるものと取付け互換性を有するパッシブなレンズ系で構成される光アウトレットを実現するためには、第１に、光ファイバの嵌合部がコンセントボックスの中心軸に近い位置に来るようにする必要がある。第２に、光ファイバの先端処理のためには、壁面より引き出した光ファイバケーブルを、壁埋め込みコンセントボックス内に最小許容曲げ半径を確保しつつ収容する必要がある。できれば、電話ジャック、テレビアンテナターミナル等も併設できるようにすることが望ましい。
【０００６】
また、従来では、光ファイバケーブルの配線に際し、壁面より引き出した光ファイバは、心線のみにして収納ボックスに収めていたため、光ファイバ収納時に細心の注意を払いつつ取り扱わなければならず、限られた作業者にしか取り扱うことができなかった。
【０００７】
そこで、本発明は、叙上のような従来存した問題点に鑑みなされたもので、光ファイバのフェルール接続部がコンセントボックスの中心軸に近い位置に来るように設定でき、また、光ファイバの先端処理に際し、壁面より引き出した光ファイバケーブルを、壁埋め込みコンセントボックス内に最小許容曲げ半径を確保しつつ収容することができ、しかも、電話ジャック、テレビアンテナターミナル等も併設できるようにした光ファイバコンセント装置を提供することを目的とする。
【課題を解決するための手段】
【０００８】
上述した課題を解決するため、本発明にあっては、光ファイバ先端に取り付けられたフェルールを嵌合させるコンセント本体と、コンセント本体に対し一方の側面からスライド装着され、光ファイバをその方向を変えながら係合させる曲線状のガイド溝部を円筒状表面に形成して成る第１のホルダ部と、コンセント本体の挿入溝に対し他方の側面からスライド装着され、第１のホルダ部の円筒状表面に当接させる内壁曲面部を有する第２のホルダ部とを備えたものである。
【０００９】
ガイド溝部は、心線を保護し且つ光ファイバの最小許容曲げ半径を確保しながらコネクタ接続軸に対して垂直平面方向に光ファイバケーブルの向きが変えられるように形成することができる。
【００１０】
また、ガイド溝部は、円筒体を中心軸に沿って四等分に分割して横向きに配置され、曲率半径が光ファイバの最小許容曲げ半径以上の大きさを有した円筒状表面部において、コンセント本体の左右一対のフェルール接続部位置に対応して左右対称となる位置に、それぞれ一対の略蛇行状に曲がった形状となって形成されているものとすることができる。
【００１１】
左右一対のガイド溝部は、互いに途中から略Ｙ字状に分岐しており、このうち内側に向けて分岐された二つのガイド溝部は、互いに交差した後、それぞれは外側に向けて分岐された他方のガイド溝部に合流してなるものとすることができる。
【００１２】
以上のように構成された本発明に係る光ファイバコンセント装置にあって、光ファイバ先端に取り付けられたフェルールをコンセント本体に押し込み嵌合させた状態から、光ファイバを第１のホルダ部のガイド溝部に係合させることによって、取り扱いに注意を要する光ファイバの約０．２５ｍｍ程度の外径を有する心線を保護し且つ光ファイバの最小許容曲げ半径を確保しながらコネクタ接続軸に対して垂直平面方向に光ファイバケーブルの向きを変更可能にさせるものである。
【発明の効果】
【００１３】
本発明によれば、光ファイバのフェルール接続部がコンセントボックスの中心軸に近い位置に来るように設定でき、また、光ファイバの先端処理に際し、壁面より引き出した光ファイバケーブルを、壁埋め込みコンセントボックス内に最小許容曲げ半径を確保しつつ収容することができ、しかも、電話ジャック、テレビアンテナターミナル等も併設することができるものである。
【００１４】
すなわち、これは本発明が、光ファイバ先端に取り付けられたフェルールを嵌合させるコンセント本体と、コンセント本体に対し一方の側面からスライド装着され、光ファイバをその方向を変えながら係合させる曲線状のガイド溝部を円筒状表面に形成して成る第１のホルダ部と、コンセント本体の挿入溝に対し他方の側面からスライド装着され、第１のホルダ部の円筒状表面に当接させる内壁曲面部を有する第２のホルダ部とを備えたからであり、簡単で且つ低コストな構成で光ファイバケーブルを、壁埋め込みコンセントボックス内に最小許容曲げ半径を確保しつつ、しかも外的影響を受けない状態で収容することができる。
【００１５】
ガイド溝部は、心線を保護し且つ光ファイバの最小許容曲げ半径を確保しながらコネクタ接続軸に対して垂直平面方向に光ファイバケーブルの向きが変えられるように形成したので、簡単な構成で光ファイバのフェルール接続部をコンセントボックスの中心軸に近い位置に来るように設定することができる。
【００１６】
また、ガイド溝部は、円筒体を中心軸に沿って四等分に分割して横向きに配置され、曲率半径が光ファイバの最小許容曲げ半径以上の大きさを有した円筒状表面部において、コンセント本体の左右一対のフェルール接続部位置に対応して左右対称となる位置に、それぞれ一対の略蛇行状に曲がった形状となって形成されているので、コンセント本体の左右一対のフェルール接続部それぞれに接続されている光ファイバのいずれにおいても当該光ファイバを最小許容曲げ半径を確保した状態で容易に向きが変えられる。
【００１７】
左右一対のガイド溝部は、互いに途中から略Ｙ字状に分岐しており、このうち内側に向けて分岐された二つのガイド溝部は、互いに交差した後、それぞれは外側に向けて分岐された他方のガイド溝部に合流してなるので、コンセント本体の左右一対のフェルール接続部それぞれに接続されている光ファイバのいずれにおいても当該光ファイバを垂直方向に対して９０°水平方向の左右いずれかの方向へも向きが変えられる。
【発明を実施するための最良の形態】
【００１８】
以下、図面を参照して本発明を実施するための最良の一形態を説明すると、図において示される符号１は、光屋内ケーブル、光ドロップケーブル等に対応した大角連用の光アウトレットによる光ファイバコンセント装置であり、一端側に左右一対のフェルール接続部２Ａ，２Ｂを有し、他端側にコネクタ接続部２Ｃを備えたコンセント本体２と、コンセント本体２のフェルール接続部２Ａ，２Ｂ側に対し一方の側面からスライド装着される第１のホルダ部３と、コンセント本体２のフェルール接続部２Ａ，２Ｂ側に対し他方の側面からスライド装着される第２のホルダ部４とを備え、両ホルダ部３，４によって、コンセント本体２のフェルール接続部２Ａ，２Ｂに接続された光ファイバＰを挟持させるように構成されている。
【００１９】
すなわち、図１、図２に示すように、コンセント本体２は、全体を略矩形ボックス状に形成してあり、ケーブル外被Ｑを剥ぎ取った光ファイバＰ先端に取り付けられた円筒状のフェルール５を左右一対のフェルール接続部２Ａ，２Ｂのいずれか片側を選択して例えばモジュラージャック式に押し込み嵌合して接続させるようにしてある。尚、左右一対のフェルール接続部２Ａ，２Ｂの他側にも必要に応じてフェルール５が接続される。
【００２０】
また、図３乃至図６に示すように、コンセント本体２のフェルール接続部２Ａ，２Ｂ側における縁端部の左右対称箇所には凹陥状の挿入溝６が形成されており、両ホルダ部３，４それぞれの下側に突き出された略コ字枠状の壁面部先端に互いに内側に向けて対向形成されている係合部７が挿入溝６に対しそれぞれ側面からスライド装着後、隣設される２個の係合孔６ａにそれぞれ係合され、両ホルダ部３，４それぞれの略コ字枠状の壁面部の開放側同士が互いに合致されることで、コンセント本体２のフェルール接続部２Ａ，２Ｂに接続された光ファイバＰを挟持固定させるようにしてある。
【００２１】
第１のホルダ部３は、図５、図９に示すように、フェルール５を介してフェルール接続部２Ａ，２Ｂに接続されている光ファイバＰ部分をその方向を変えながら係合させるための曲線状のガイド溝部８が円筒状表面部９に形成してある。一方、第２のホルダ部４は、図５、図１０に示すように、第１のホルダ部３のガイド溝部８を有する円筒状表面部９にぴったりと当接させるための内壁曲面部１０を有し、コンセント本体２の挿入溝６に対し、両ホルダ部３，４それぞれが互いに側面からスライド装着、係合された際に、第１のホルダ部３の円筒状表面部９と第２のホルダ部４の内壁曲面部１０が当接合致されて、ガイド溝部８内に係合されている光ファイバＰを挟持固定するようにしてある。
【００２２】
両ホルダ部３，４は、第１のホルダ部３上側凹部１１に形成された楔爪状の係合突起部１１ａを、第２のホルダ部４上側に形成された可撓性のある突出片１２内側に形成された係合孔部１２Ａに係止させる所謂パッチン止めによって固定されるものとしてある。
【００２３】
図３、図４、図５、図９に示すように、第１のホルダ部３のガイド溝部８は、円筒体を中心軸に沿って四等分に分割して横向きに配置された円筒状表面部９において、コンセント本体２の左右一対のフェルール接続部２Ａ，２Ｂ位置に対応して左右対称となる位置に、それぞれ一対の略蛇行状に曲がった形状となって合計４本が形成されている。このとき、左右側それぞれのガイド溝部８は、互いに途中から略Ｙ字状に分岐しており、このうち内側に向けて分岐された二つのガイド溝部８Ｂ，８Ｃは、互いに交差した後、それぞれは外側に向けて分岐された他方のガイド溝部８Ａ，８Ｄに合流している。また、円筒状表面部９の曲率半径は、光ファイバＰの最小許容曲げ半径以上の大きさを有している。こうすることによって、コンセント本体２の左右一対のフェルール接続部２Ａ，２Ｂそれぞれに接続されている光ファイバＰのいずれにおいても当該光ファイバＰを垂直方向に対して９０°水平方向の左右いずれかの方向へも向きが変えられるようにしている。
【００２４】
そして、図１、図２に示すように、光ファイバＰ先端に取り付けられたフェルール５をコンセント本体２のフェルール接続部２Ａ，２Ｂに押し込み嵌合させた状態で、図４、図５に示すように、光ファイバＰをガイド溝部８に係合させることによって、取り扱いに注意を要する光ファイバＰの約０．２５ｍｍ程度の外径を有する心線を保護し且つ光ファイバＰの最小許容曲げ半径を確保しながらコネクタ接続部２Ｃの接続軸に対して垂直平面方向に光ファイバケーブルの向きが変えられるようにしてある。また、図６、図７、図８、図９に示すように、第１のホルダ部３の上側背面、第２のホルダ部４の上側左右側面には、ガイド溝部８から両ホルダ部３，４側面に引き出された光ファイバケーブルのケーブル外被Ｑを押し込み固定するための下向き突起状の押え部１３が形成されている。
【００２５】
また、図５、図６、図７、図８に示すように、第１のホルダ部３、第２のホルダ部４それぞれには、光ファイバケーブルのゲーブル外被Ｑの付いた部分を、例えば１回転だけ巻き付けるための巻回部１４を有し、不図示の壁埋め込みボックス内の略半分のスペース内にケーブル余長を収めることができるようにしてある。こうして、ケーブル心線が保護された状態で、ケーブル巻き付けの方向に向けられるので、ケーブル外被Ｑの付いた取り扱いの容易な部分のみで余長巻き付け処理が容易に行えるものとしている。
【００２６】
次に、上記した構成における組み付け方法について説明すれば、先ず、図１、図２に示すように、光ファイバケーブルのケーブル外被Ｑを剥ぎ取り、その先端をフェルール５に装着してから、コンセント本体２のフェルール接続部２Ａ，２Ｂにフェルール５を差し込み装着する。
【００２７】
図３、図４に示すように、コンセント本体２の挿入溝６に対し一方の側面から第１のホルダ部３をスライド装着、嵌合して取り付ける。そして、光ファイバＰを複数のガイド溝部８のうちの８Ａ乃至８Ｄのいずれかに係合させることによって、光ファイバＰの最小許容曲げ半径を確保しながらコネクタ接続部２Ｃの接続軸に対して垂直平面方向に光ファイバケーブルの向きを変えてからケーブル外被Ｑを押え部１３に押し込み仮固定しておく。
【００２８】
次に、図５、図６に示すように、コンセント本体２の挿入溝６に対し他方の側面から第２のホルダ部４をスライド装着し、第１のホルダ部３上側の凹部１１に形成された係合突起部１１ａを、第２のホルダ部４上側に形成された突出片１２内側の係合孔部１２Ａに係止させて固定する。このとき、第１のホルダ部３の円筒状表面部９に対し、第２のホルダ部４の内壁曲面部１０が隙間無く当接されるのに伴い、ガイド溝部８内に係合されている光ファイバＰはしっかりと挟持固定される。最後に、ゲーブル外被Ｑの付いた部分を、第２のホルダ部４側の押え部１３に押し込み固定した後、巻回部１４に例えば１回転だけ巻き付けてから、不図示の壁埋め込みボックス内に押し込み固定する。
【図面の簡単な説明】
【００２９】
【図１】本発明を実施するための最良の形態におけるコンセント本体にフェルールを差し込んだ状態を示す斜視図である。
【図２】同じくコンセント本体にフェルールを差し込んだ状態を示す一部切欠断面図である。
【図３】同じくコンセント本体に第１のホルダ部を取り付ける状態を示す斜視図である。
【図４】同じくコンセント本体に第１のホルダ部を取り付け、光ファイバをガイド溝部に係合させる状態を示す斜視図である。
【図５】同じく光ファイバをガイド溝部に係合させた後に第２のホルダ部を取り付ける状態を示す斜視図である。
【図６】同じく両ホルダ部の組み付け完了後の状態を示す斜視図である。
【図７】同じく組み付け完了後の状態を示す斜め方向から見た縦断面図である。
【図８】同じく組み付け完了後の状態を示す縦断面図である。
【図９】第１のホルダ部の一例を示し、（ａ）は斜視図、（ｂ）は平面図、（ｃ）は側面図、（ｄ）は正面図である。
【図１０】第２のホルダ部の一例を示し、（ａ）は斜視図、（ｂ）は平面図、（ｃ）は側面図、（ｄ）は正面図である。
【符号の説明】
【００３０】
Ｐ                            光ファイバ
Ｑ                            ケーブル外被
１                            光ファイバコンセント装置
２                            コンセント本体
２Ａ，２Ｂ                    フェルール接続部
２Ｃ                          コネクタ接続部
３                            第１のホルダ部
４                            第２のホルダ部
５                            フェルール
６                            挿入溝
７                            係合部
８（８Ａ，８Ｂ，８Ｃ，８Ｄ）  ガイド溝部
９                            円筒状表面部
１０                          内壁曲面部
１１                          係合突起部
１２                          突出片
１２Ａ                        係合孔部
１３                          押え部
１４                          巻回部
【図１】
2006011196.tif 000003
【図２】
2006011196.tif 000004
【図３】
2006011196.tif 000005
【図４】
2006011196.tif 000006
【図５】
2006011196.tif 000007
【図６】
2006011196.tif 000008
【図７】
2006011196.tif 000009
【図８】
2006011196.tif 000010
【図９】
2006011196.tif 000011
【図１０】
2006011196.tif 000012